(57)【要約】【課題】光学マスクの位置調整作業の効率化および目視確認レベルの均一化が図れ、かつ、小型化が可能となる画像検査装置を提供する。【解決手段】可視状態の主画像情報に対して不可視状態で副情報を埋め込むことによって作成した合成画像情報が記録面に可視状態で記録されている記録媒体（検査対象物）の前記記録面上に光学マスクを重ね合わせることで前記副情報を目視確認可能にする画像検査装置において、光学マスクの回転相対位置および平行相対位置を調整する調整手段を設けたことを特徴とする。【選択図】      図１３
2005341274.tif 000002
【特許請求の範囲】
【請求項１】
可視状態の主画像情報に対して不可視状態で副情報を埋め込むことによって作成した合成画像情報が記録面に可視状態で記録されている記録媒体の前記記録面上に光学マスクを重ね合わせることで前記副情報を目視確認可能にする画像検査装置であって、
前記光学マスクを前記記録媒体の記録面に押付ける押付け手段と、
前記光学マスクを所定方向に回転移動させる回転移動手段と、
前記光学マスクを所定方向に平行移動させる平行移動手段と、
前記光学マスクを照明するもので、照明光の波長を選択可能な照明手段と、
を具備したことを特徴とする画像検査装置。
【請求項２】
前記照明手段による照明光の波長の選択は前記平行移動手段による前記光学マスクの平行移動と同期して行なわれることを特徴とする請求項１記載の画像検査装置。
【請求項３】
前記平行移動手段は前記光学マスクを特定の振幅でかつ周期的に平行移動させることを特徴とする請求項１記載の画像検査装置。
【請求項４】
前記光学マスクを照明用の導光路として兼用し、前記照明手段を前記光学マスクの端面に配設することを特徴とする請求項１記載の画像検査装置。
【請求項５】
前記照明手段はそれぞれ出力光の波長が異なる複数の光源を有して構成されることを特徴とする請求項１または請求項４記載の画像検査装置。
【発明の詳細な説明】
【技術分野】
【０００１】
本発明は、たとえば、可視状態の主画像情報（人物の顔画像など）に対して別の付加的な副情報（セキュリティ情報など）を不可視状態で埋め込み合成して作成した合成画像情報が記録面に可視状態で記録されている記録媒体の前記記録面上に光学マスクを重ね合わせることで前記副情報を目視確認可能にする画像検査装置に関する。
【背景技術】
【０００２】
近年、情報の電子化やインターネットの普及に伴って、画像の偽造や変造防止のために電子透かし、電子署名などの技術が重要視されるようになってきた。特に、主画像情報に付加的な副情報（副画像情報）を不可視状態で埋め込む電子透かし技術は、顔画像が印刷された身分証明証や著作権情報を埋め込んだ写真に対する不正コピー、偽造、改ざん対策として提案されている。
【０００３】
たとえば、印刷物へ出力される画像データに対して、人間が感知しにくい高い空間周波数成分および色差成分の特性を利用してデータを埋め込む電子透かし挿入方法が知られている（特許文献１参照）。  
また、光学マスクで確認できる電子透かしの情報処理方法や、主画像情報に埋め込まれた副情報を光学マスクを用いて復元する方法が知られている（特許文献２参照）。
【特許文献１】特開平９−２４８９３５号公報
【特許文献２】特開２００１−２６８３４６号公報
【発明の開示】
【発明が解決しようとする課題】
【０００４】
特許文献２の方法では、光学マスクを対象物の上に重ねて回転、平行移動の位置調整を行ない、また、目視確認時にはマスクを前後左右に往復運動させることにより副情報を目視確認する方法が示されている。
【０００５】
特許文献２における副情報の埋め込み原理は、色差を微小領域で調整された画像でも人間の解像度限界を超える場合、同一の画像に見えることを原理としており、この原理を用いて副情報を隠蔽した印刷物もある程度以上の解像度が必要となる。このため、光学マスクの位置調整には印刷物程度の精度が要求され、その精度とはおおよそ数１０μｍ〜数μｍオーダでの作業となる。位置調整は目視確認できる副情報の質に大きく関係するので、目視確認レベルを一定にするためには何らかの手段が必要となる。
【０００６】
特許文献２における目視確認方法は、読取対象物と照明灯は光学マスクを挟み反対側にある構成となり、かなり大きなスペースを必要とする。画像検査装置を実際に利用することを想定した場合、小形である方が利便性が高いと考えられ、このためには何らかの小形化の手段が必要となる。
【０００７】
そこで、本発明は、光学マスクの位置調整作業の効率化および目視確認レベルの均一化が図れ、かつ、小型化が可能となる画像検査装置を提供することを目的とする。
【課題を解決するための手段】
【０００８】
本発明の画像検査装置は、可視状態の主画像情報に対して不可視状態で副情報を埋め込むことによって作成した合成画像情報が記録面に可視状態で記録されている記録媒体の前記記録面上に光学マスクを重ね合わせることで前記副情報を目視確認可能にする画像検査装置であって、前記光学マスクを前記記録媒体の記録面に押付ける押付け手段と、前記光学マスクを所定方向に回転移動させる回転移動手段と、前記光学マスクを所定方向に平行移動させる平行移動手段と、前記光学マスクを照明するもので、照明光の波長を選択可能な照明手段とを具備している。
【発明の効果】
【０００９】
本発明によれば、光学マスクの位置調整作業の効率化および目視確認レベルの均一化が図れ、かつ、小型化が可能となる画像検査装置を提供できる。
【発明を実施するための最良の形態】
【００１０】
以下、本発明の実施の形態について図面を参照して説明する。  
まず、本発明の内容を容易に理解するために、主画像情報に対する副情報（副画像情報）の埋め込み、復元処理の原理について説明する。なお、この副情報の埋め込み、復元処理の原理は、特開２００１−２６８３４６号公報に開示されているので、詳細はそれを参照されたい。
【００１１】
図１は、全体の流れを説明するための流れ図を示しており、以下、この流れ図を参照して処理全体の流れを説明する。  
図１において、主画像情報１０１は、たとえば、身分証明書などに用いる人物の顔画像であり、あらかじめ撮影しておいた顔写真をスキャナ入力処理１０６により入力することにより作成するか、カメラ撮影処理１０７により人物の顔画像を直接撮影することにより作成したデジタルデータである。
【００１２】
副画像情報（副情報）となるパターン画像情報１０２は、パターン画像入力処理１０８またはパターン画像作成処理１０９により作成する。このパターン画像情報１０２は、本実施の形態では横４画素、縦２画素を基本サイズとした長方形の白と黒の周期的な繰り返しパターンを用いている。
【００１３】
次に、合成処理１１０において、先に作成した主画像情報１０１とパターン画像情報１０２とを合成することにより、主画像情報１０１の中にパターン画像情報１０２を人間の肉眼で判読不可能状態で埋め込んだ合成画像情報１０３を作成する。合成処理１１０の詳細な内容については後述する。
【００１４】
次に、印刷処理１１１において、合成処理１１０で作成した合成画像情報１０３を、たとえば、昇華型熱転写プリンタなどの記録手段を用いて、記録媒体としての身分証明書１０５の顔画像印刷部に印刷（記録）することにより、身分証明書１０５上の合成画像１０４が作成される。この身分証明書１０５上の合成画像１０４が認証用の顔画像として使用される。この合成画像１０４は、人間の肉眼では主画像情報１０１と同一の画像に見える。
【００１５】
このようにして作成された身分証明書１０５は、以下に説明する真偽判定処理１１２により真偽判定を行なうことができる。まず、あらかじめパターン画像情報１０２と同一パターンの光透過分布率を有するシート状のマスク（以下、マスクシートと称す）１１３を作成しておく。このマスクシート１１３を身分証明書１０５上の合成画像１０４上に重ね合わせて、両者の回転方向、平行移動方向を調整して特定の相対位置になると、後述する原理により色相が崩れ、パターン画像情報１０２を目視確認することができる。パターン画像情報１０２を確認できた場合、身分証明書１０５が正しく、確認できない場合は偽造と判定できる。
【００１６】
次に、パターン画像情報１０２を作成する方法について説明する。パターン画像情報１０２はある一定の周期を持った格子パターンを用いる。本実施の形態では、図２に示すように、たとえば、横４画素、縦２画素のサイズを基本とした長方形の黒パターン２０１と白パターン２０２の繰り返しパターンを用いる（格子の周期は横８画素、縦４画素となる）。このパターン画像情報１０２の縦と横は相対的なものであるから、横のサイズが縦のサイズよりも大きい必要はなく、格子の横画素サイズと縦画素サイズとの比は、  
ａ／ｂ＞１  
ａ：パターン画像情報の格子の横サイズと縦サイズの大きい方の数値  
ｂ：パターン画像情報の格子の横サイズと縦サイズの小さい方の数値  
であることが必要で、できれば「２〜８」くらいの比率が望ましい。
【００１７】
次に、図３ないし図５を用いて合成処理１１０について説明する。主画像情報１０１は、たとえば、認証用顔画像などの自然画像の画像情報で、１画素当たり２４ビット（Ｒ，Ｇ，Ｂ各８ビット、０〜２５５の範囲）の情報を持っている。
【００１８】
主画像情報１０１の例を図４および図５に示す。ここでは説明を簡単にするために、主画像情報１０１は（Ｒ，Ｇ，Ｂ）＝（１２７，１２７，１２７）の一様なグレーとし、その一部分を１２×１２画素のサイズに切り出している。なお、図４は主画像情報１０１の赤成分、図５は主画像情報１０１の緑成分を示しており、青成分は省略している。
【００１９】
パターン画像情報１０２は、規則的な周期の格子パターンで構成されていて、主画像情報１０１の中に人間が肉眼で判読不可能状態で埋込まれている画像情報であり、１画素あたり１ビット（０〜２５５の範囲）の情報を持っている。
【００２０】
パターン画像情報１０２の例を図６に示す。パターン画像情報１０２は、主画像情報１０１と同じく、その一部分を１２×１２画素のサイズに切り出している。パターン画像情報１０２は、横４画素×縦２画素の黒と白の長方形を周期的に繰り返した格子パターンで構成されていて、“１”が黒色を、“０”が白色を表現している。
【００２１】
まず最初に、色差変調処理ステップ３０１において、下記式（ａ−１）〜（ａ−２）の規則にしたがい、パターン画像情報１０２に対して色差変調処理を行なうことにより、色差変調パターン画像情報を作成する。これは、あらかじめ色差変調量ΔＶ（０〜２５５の範囲）を設定しておく。そして、パターン画像情報１０２の各画素単位の値に応じて、黒画素を「１」に割り当て、白画素を「−１」に割当て、それぞれの値に対して色差変調量ΔＶの値を掛けあわせる。これを全てのパターン画像情報１０２に対して行なう。ここに、色差変調処理結果の例を図７に示す。  
CDMP(i,j)=(+1)*ΔV……PAT(i,j)=黒の時  ……  （ａ−１）  
CDMP(i,j)=(-1)*ΔV……PAT(i,j)=白の時  ……  （ａ−２）  
CDMP(i,j):(x=i,y=j)位置の時の色差変調パターン画像情報の値  
PAT(i,j):(x=i,y=j)位置の時のパターン画像情報の値  
ΔＶ：色差変調量
色差変調量ΔＶはあらかじめ設定してある「０〜２５５」の範囲の整数である。色差変調量ΔＶが大きいほど真偽判定時の可視化のコントラストが高くなり、判定が容易ではあるが、あまり大きくしすぎると合成画像情報の乱れが多くなり、画質劣化が生じやすくなる。したがって、色差変調量ΔＶは、「１６〜９６」くらいが望ましいが、ここではΔＶ＝４８を用いている。
【００２２】
次に、重畳処理ステップ３０２において、上記のように処理して得られた色差変調パターン画像情報と先に作成された主画像情報１０１に対して、下記式（ｂ−１）〜（ｂ−２）で示される重畳処理を行なうことにより、合成画像情報１０３を作成する。  
DES-R(i,j)=SRC-R(i,j)+CDMP(i,j)  ……  （ｂ−１）  
DES-G(i,j)=SRC-G(i,j)-CDMP(i,j)  ……  （ｂ−２）  
DES-B(i,j)=SRC-B(i,j)-CDMP(i,j)  ……  （ｂ−３）  
DES-R(i,j):(x=i,y=j)位置の時の合成画像情報の値（赤成分）  
DES-G(i,j):(x=i,y=j)位置の時の合成画像情報の値（緑成分）  
DES-B(i,j):(x=i,y=j)位置の時の合成画像情報の値（青成分）  
SRC-R(i,j):(x=i,y=j)位置の時の主画像情報の値（赤成分）  
SRC-G(i,j):(x=i,y=j)位置の時の主画像情報の値（緑成分）  
SRC-B(i,j):(x=i,y=j)位置の時の主画像情報の値（青成分）  
なお、 DES-R(i,j)、DES-G(i,j)、DES-B(i,j)は、それぞれ「０〜２５５」の範囲の整数なので、計算結果が「０」以下の場合は「０」に設定し、「２５５」以上の場合は「２５５」に設定する。
【００２３】
図８および図９に重畳処理の結果例を示す。図８は赤成分の結果、図９は緑成分の結果を示す。  
前記式（ａ−１）および（ａ−２）で示すように、パターン画像情報１０２の周期に対応して色差変調量ΔＶに対する係数の符号が「＋１」と「−１」の値を交互に取る。したがって、パターン画像情報１０２の１周期に対して積分すると、色差変調量は打ち消し合い、総和は零となるため、パターン画像情報１０２の格子の周期に関して、  
ΣDES-R(i,j)=ΣSRC-R(i,j)  ……  （ｃ−１）  
ΣDES-G(i,j)=ΣSRC-G(i,j)  ……  （ｃ−２）  
ΣDES-B(i,j)=ΣSRC-B(i,j）  ……  （ｃ−３）  
となり、さらに、画像の全体領域に対しても上記式（ｃ−１）〜（ｃ−３）が成立するため、合成画像情報１０３において主画像情報１０１の全体の雰囲気は変化せず、保たれている。
【００２４】
実際に、図８や図９の１２×１２画素のデータ値を平均すると「１２７」となり、主画像情報のデータ値の統計値（平均値）が保存されていることがわかる。したがって、重畳処理結果の画像情報（＝合成画像情報）は、一見個々の画素のデータ値を見ると、主画像情報と異なっているが、画像情報の平均値などの統計値は保存されているため、マクロ的な視点、たとえば、１２×１２画素サイズでみると、両者は区別をつけるのが難しくなる。
【００２５】
さらに、前記式（ａ−１）および（ａ−２）で示すように、パターン画像情報１０２の周期に対応して色差変調量ΔＶに対する係数の符号が「＋１」と「−１」の値を交互に取る。ここで、緑成分と青成分の符号は一致し、赤成分と他の２つの成分の符号は一致しないようにする。これは補色の関係を利用しているからである。本実施の形態では、赤−シアン色の補色をペアで使用している。赤成分の符号を正（＋）にするときは、補色のシアン成分である緑成分と青成分の符号を負（−）にし、赤成分の符号を負（−）にするときは、シアン成分を構成する緑成分と青成分の符号を正（＋）としている。
【００２６】
このように、前記式（ａ−１）と（ａ−２）の符号を決めることにより、パターン画像情報１０２の値が黒のときは合成画像情報１０３の値は赤色が強調され、パターン画像情報１０２が白のときは合成画像情報１０３の値はシアン色が強調されるため、合成画像情報１０３はパターン画像情報１０２の格子の周期に対応するように赤色とシアン色の格子成分が埋込まれる。  
図８において、データ値＝１７５の画素は赤色が強調されている画素、データ値＝７９の画素はシアン色が強調されている画素である。
【００２７】
赤色成分の多い画素では緑色と青色が少なくなっていて、赤色の少ない画素では他の成分が多くなっている。赤色と（緑色、青色）＝シアン色は補色の関係にあり、赤色とシアン色が隣り合っていても、人間の目には判別しにくく、無彩色に見える。パターン画像情報１０２の格子の周期単位で赤色リッチな画素とシアン色リッチな画素が繰り返し配置されているため、画素密度が細かくなっていくと、人間の目ではこれらの細かな色差の違いを識別できず、色差量はプラスマイナス「０」と判断してしまう。
【００２８】
したがって、  
合成画像情報≒主画像情報  ……  （ｄ）
と間違って判断してしまい、画像が埋込まれていることを区別できなくなる。したがって、この原理により、パターン画像情報１０２を不可視状態で主画像情報１０１に埋込んだ合成画像情報１０３を作成することが可能になる。  
この合成画像情報１０３を高精細な、たとえば、３００ｄｐｉの昇華型熱転写プリンタで印刷記録すると、人間の肉眼では判別が難しく、両者の区別はつかない。
【００２９】
合成画像情報１０３は、見かけ上は通常の画像情報となんら変わりがないので、たとえば、ＪＰＥＧやＴＩＦＦなどの汎用画像フォーマットが使用でき、また、一般の画像情報を扱うことのできるアプリケーションで処理が可能なため、システム構築が比較的容易にできる。  
また、システム内で合成画像情報１０３の画像フォーマットを他のものに変換しても、埋込まれたパターン画像情報１０２はそのまま残り問題は生じない。
【００３０】
合成画像情報１０３を昇華型熱転写プリンタのような高精細カラープリンタなどで印刷記録したものを身分証明書などに張り付けて使用するわけだが、そのときにシステム側では、使用された身分証明書の認証用顔画像の中に不可視状態で埋込まれた、副画像情報であるパターン画像情報１０２を検知することにより、身分証明書の真偽判定が可能になる。
【００３１】
副画像情報であるパターン画像情報１０２の検知には、図６に示したパターン画像情報１０２を用いる。パターン画像情報１０２とカラープリンタなどで印刷された主画像情報の画素サイズや画素位置が１：１で対応するように、パターン画像情報１０２の値が黒（＝１）の部分は光が透過しないように黒パターンにして、パターン画像情報１０２の値が白（＝０）の部分は光が透過するように透明パターンにしたマスクシート１１３を作成する。そして、このマスクシート１１３を印刷された合成画像１０４の上に物理的に重ね合わせる。
【００３２】
図１０に、印刷された合成画像１０４を模式化した例を示す。前述のように一様なグレーの主画像情報１０１を用いて合成画像１０４を作成した場合、赤色とシアン色の周期的な格子が埋込まれる。図１０において、文字Ｒを付した画素は赤色がリッチな画素であり、文字Ｃを付した画素はシアン色がリッチな画素を示している。
【００３３】
図１０の合成画像１０４に前述のマスクシート１１３を重ねた場合の結果を図１１および図１２に模式的に示す。図１１は合成画像１０４とマスクシート１１３との位置がぴったり一致した場合であり、図１２は合成画像１０４とマスクシート１１３とが格子の半周期だけずれた場合である。図１１、図１２において、斜線を付した画素はマスクシート１１３によりマスクされていることを示す。
【００３４】
図１１では、文字Ｒを付した画素の部分がマスクされて文字Ｃを付した画素のみが透過されて見える。したがって、この状態では黒のマスクの隙間にシアンの格子が見える。図１２では、文字Ｃを付した画素の部分がマスクされて文字Ｒを付した画素のみが透過されて見える。したがって、この状態では黒のマスクの隙間に赤色の格子が見える。
【００３５】
なお、上記説明では、画面全体に対し合成画像を生成する方法が述べられているが、副画像情報であるパターン画像情報１０２を特定のパターン、たとえば、文字やバーコードなどの情報とし、合成した場合を考える。前述同様、マスクシート１１３を重ねて観察した場合、副画像情報の合成された部分のみシアン、または、赤色の格子が現れることになる。
【００３６】
次に、本発明の実施の形態に係る画像検査装置について詳細に説明する。  
なお、本実施の形態における読取対象物としては、前述した原理説明と同様、光学マスク（マスクシート１１３）の位置調整によりシアン色または赤色に色相が崩れるもの（合成画像１０４）として説明する。
【００３７】
図１３は、画像検査装置の構成を模式的に示すものである。この画像検査装置は図示するような小形手帳状に構成されている。すなわち、本体１の表面には、円板状の光学マスク２（図１のマスクシート１１３に相当）が回転および移動可能に設けられているとともに、この光学マスク２の周辺部には、後述する照明灯（図１５、図１６参照）を選択するための複数の照明選択スイッチ、たとえば、６個の照明選択スイッチ３Ｒ，３Ｇ，３Ｂ，３Ｃ，３Ｍ，３Ｙ、光学マスク２の回転相対位置を調整するための回転位置調整スイッチ４、および、光学マスク２の平行相対位置を調整するための平行位置調整スイッチ５がそれぞれ設けられている。
【００３８】
照明選択スイッチ３Ｒは赤色光を出力する照明灯、照明選択スイッチ３Ｇは緑色光を出力する照明灯、照明選択スイッチ３Ｂは青色光を出力する照明灯、照明選択スイッチ３Ｃはシアン色光を出力する照明灯、照明選択スイッチ３Ｍはマゼンタ色光を出力する照明灯、照明選択スイッチ３Ｙはイエロー色光を出力する照明灯、をそれぞれ選択点灯するためスイッチである。
【００３９】
回転位置調整スイッチ４は、光学マスク２の回転相対位置を調整する際に操作するもので、たとえば、図１４（ａ）に示すように、押圧部４ａを押下すると時計方向（右方向）に回転し、押圧部４ｂを押下すると反時計方向（左方向）に回転する。その際、押圧部を押下するごとに所定距離だけ回転するようになっている。
【００４０】
平行位置調整スイッチ５は、光学マスク２の平行相対位置を調整する際に操作するもので、たとえば、図１４（ｂ）に示すように、押圧部５ａを押下すると左方向（Ｘ方向）に移動し、押圧部５ｂを押下すると右方向（Ｘ方向）に移動し、押圧部５ｃを押下すると上方向（Ｙ方向）に移動し、押圧部５ｄを押下すると下方向（Ｙ方向）に移動する。その際、押圧部を押下するごとに所定距離だけ移動するようになっている。
【００４１】
また、平行位置調整スイッチ５は、光学マスク２を所定の周期で平行移動（振動）させるためのスイッチを兼用していて、押圧部５ａ（または５ｂ）を連続して押下すると、押下している間Ｘ方向に所定の周期で平行移動し、押圧部５ｃ（または５ｄ）を連続して押下すると、押下している間Ｙ方向に所定の周期で平行移動するようになっている。
【００４２】
本体１の裏面側には、検査対象物６（図１の記録媒体１０５に相当）を本体１との間に所定の圧力で挟み込むことにより、検査対象物６を光学マスク２に押付ける押付け手段としてのマスク押付け蓋体７が開閉可能に設けられている。この場合、検査対象物６上の読取対象物８（図１の合成画像１０４に相当）の部分が光学マスク２と相対向して密着するように位置設定されている。
【００４３】
図１５、図１６は、光学マスク２およびその位置調整機構を模式的に示すものである。本実施の形態では、円板状の光学マスク２は照明用の導光路として兼用するもので、その裏面および表面にはそれぞれマスクパターン２ａ，２ｂが形成されているとともに、表面側のマスクパターン２ｂと相対向するマスク内部には光を拡散する拡散部９が形成されている。  
なお、図１５ではマスクパターン２ａ，２ｂが光学マスク２の全面に亘って形成されているが、実際は図１６に示すように光学マスク２の中央部にのみ形成される。
【００４４】
このように構成された光学マスク２は、回転移動手段としての環状の超音波モータ１０によって回転駆動されるようになっている。すなわち、光学マスク２の外周部は、超音波モータ１０の回転部と兼用される環状の枠体１１に固定されているとともに、この枠体１１上には環状の超音波モータ１０が相対向して配設されている。超音波モータ１０は、環状で断面コ字状の保持部１２に固定されている。ここに、超音波モータ１０は、前記回転位置調整スイッチ４の操作に応じて駆動制御されるようになっている。
【００４５】
光学マスク２の外周面と相対向する枠体１１内には、光学マスク２を照明する照明手段としての複数の照明灯、たとえば、６対（１２個）の照明灯１３Ｒａ，１３Ｒｂ、１３Ｇａ，１３Ｇｂ、１３Ｂａ，１３Ｂｂ、１３Ｃａ，１３Ｃｂ、１３Ｍａ，１３Ｍｂ、１３Ｙａ，１３Ｙｂが図１６のように相対向して配設されている。照明灯１３Ｒａ，１３Ｒｂ、１３Ｇａ，１３Ｇｂ、１３Ｂａ，１３Ｂｂ、１３Ｃａ，１３Ｃｂ、１３Ｍａ，１３Ｍｂ、１３Ｙａ，１３Ｙｂは、前記照明選択スイッチ３Ｒ，３Ｇ，３Ｂ，３Ｃ，３Ｍ，３Ｙによって選択的に点灯される。
【００４６】
すなわち、照明灯１３Ｒａ，１３Ｒｂは、赤色光を出力する発光ダイオードで、前記照明選択スイッチ３Ｒによって選択点灯される。照明灯１３Ｇａ，１３Ｇｂは、緑色光を出力する発光ダイオードで、前記照明選択スイッチ３Ｇによって選択点灯される。照明灯１３Ｂａ，１３Ｂｂは、青色光を出力する発光ダイオードで、前記照明選択スイッチ３Ｂによって選択点灯される。照明灯１３Ｃａ，１３Ｃｂは、シアン色光を出力する発光ダイオードで、前記照明選択スイッチ３Ｃによって選択点灯される。照明灯１３Ｍａ，１３Ｍｂは、マゼンタ色光を出力する発光ダイオードで、前記照明選択スイッチ３Ｍによって選択点灯される。照明灯１３Ｙａ，１３Ｙｂは、イエロー色光を出力する発光ダイオードで、前記照明選択スイッチ３Ｙによって選択点灯される。
【００４７】
枠体１１のＸ方向に対する一端部（たとえば、図面に対し右端部）には、光学マスク２をＸ方向に平行移動あるいは周期的に平行移動（振動）させる平行移動手段としての振動器１４Ｘが設置されている。また、枠体１１のＹ方向に対する一端部（たとえば、図面に対し下端部）には、光学マスク２をＹ方向に平行移動あるいは周期的に平行移動（振動）させるさせる平行移動手段としての振動器１４Ｙが設置されている。ここに、振動器１４Ｘ，１４Ｙは、たとえば、ピエゾ素子を主体に構成されていて、前記平行位置調整スイッチ５の操作に応じて駆動制御されるようになっている。
【００４８】
このような構成により、光学マスク２は、その面方向からではなく、端面方向から照明光が入射するようになる。光学マスク２内に拡散部分がない場合、図１５に破線ａで示すように、光学マスク２の端面から入射した光は面部分で全反射を繰り返し、光の入射端とは反対側の端面まで伝播される。
【００４９】
そこで、図１５に示すように、光学マスク２の表面側に拡散部９を設けることにより、端面から入射した光は、図１５に実線ｂで示すように、拡散部９で拡散される。この拡散光の中で、全反射条件を満たせない光については面部分からの光として出射される。この出射光は、検査対象物６上の読取対象物８への照明光として利用することが可能となる。このような構成を利用することで本画像検査装置を小形化することが可能となる。
【００５０】
ただし、拡散部９からの光の拡散方向は制御できないため、検査対象物６とは光学マスク２を挟んで反対側の目視確認方向への照明としても作用してしまう可能性がある。その場合、検査対象物６上の読取対象物８を目視確認することが困難になるため、図１５に示すように、裏面側のマスクパターン２ａと同じ位置に拡散部９を設け、かつ、目視確認方向の面部分にはマスクパターン２ａと同様のマスクパターン２ｂを目隠しパターンとして設けた構成をしている。
【００５１】
拡散部９は光拡散の方向性を持たないので、図１６に示すように、光学マスク２の周囲に複数の照明灯を配置するだけで、色（波長）の異なる照明光を実現することが可能となる。
【００５２】
次に、上記のように構成された画像検査装置の動作について図１７に示すフローチャートを参照して説明する。  
まず、光学マスク２の相対位置調整について説明する。検査者は、検査対象物６を本体１と蓋体７との間に挟み込むことにより、検査対象物６上の読取対象物８の部分を光学マスク２に押付ける（ステップＳ１）。このときの押付け圧力としては、以降の調整である回転機構および振動機構が許容する程度の圧力が望ましい。
【００５３】
次に、読取対象物８と光学マスク２との回転相対位置の調整を行なう（ステップＳ２）。すなわち、検査者は、回転位置調整スイッチ４を前述したように操作することで、超音波モータ１０に必要な駆動信号が送信され、回転相対位置の調整が実行される。
【００５４】
次に、読取対象物８と光学マスク２との平行相対位置の調整を行なう（ステップＳ３）。すなわち、検査者は、平行位置調整スイッチ５を前述したように平行移動させるための所定の操作を行なうことで、振動器１４Ｘ，１４Ｙに必要な駆動信号が送信され、平行相対位置の調整が実行される。
【００５５】
次に、副画像情報１０２の視認性能向上について説明する。上記調整により副画像情報は色相が崩れた状態で観察されるが、以下に説明する２つのステップにより目視確認レベルを強調することができる。  
まず、検査者は、平行位置調整スイッチ５を前述したように周期移動させるための所定の操作を行なうことで、振動器１４Ｘ，１４Ｙに必要な駆動信号が送信され、光学マスク２の周期的な移動を行なう（ステップＳ４）。  
合成画像１０４には、合成処理１１０により副画像情報１０２を含む部分に赤色リッチな画素とシアンリッチな画素とが繰返し配置されており、光学マスク２を重ねて観察した場合、その位置によりシアン色または赤色として確認することができることは前述した。この特性を利用し、シアン色、赤色と交互に色が現れるように特定の振幅、かつ、色の変化を確認できる程度の周期で光学マスク２を平行移動させることで副画像情報１０２をより確認しやすくなる。
【００５６】
次に、検査者は、光学マスク２の照明光の波長を選択する（ステップＳ５）。すなわち、照明選択スイッチ３Ｒ，３Ｇ，３Ｂ，３Ｃ，３Ｍ，３Ｙを選択的に操作して、照明灯１３Ｒａ，１３Ｒｂ、１３Ｇａ，１３Ｇｂ、１３Ｂａ，１３Ｂｂ、１３Ｃａ，１３Ｃｂ、１３Ｍａ，１３Ｍｂ、１３Ｙａ，１３Ｙｂの中の一対を選択的に点灯させることで、所望の色の照明光を照射する。
【００５７】
今までの説明では、光学マスク２を重ねて、回転あるいは位置調整をすることで、シアン色、赤色に色相が崩れた状態として副画像情報を確認できると説明しているが、これは白色光の下での説明である。たとえば、赤色に色相が崩れた状態の副画像情報を赤色光の下で確認した場合、副画像情報部分の赤色光に対する光反射率が周囲よりも高くなるため視認性が高まり、確認にすることが可能となる。逆に、赤色光を含まない青色光の下で確認した場合、副画像情報部分の青色光に対する光反射率が周囲よりも低くなるため視認性は低くなる。すなわち、照明光の波長選定により副画像情報部分を強調（レベルが高い場合も低い場合も）することが可能となる。
【００５８】
なお、照明灯の切換え（照明光の波長切換え）による副画像情報の強調を、上記した光学マスク２の周期移動と組合わせることで、視認識レベルをより高めることが可能となる。
【００５９】
また、上記した視認性能向上方法は照明灯の波長、切換え周期、光学マスクの平行移動の移動量や方向および周期を合成処理１１０におけるパラメータと合わせておくことで、意図された合成処理により副画像情報が隠蔽されたかを確認することが可能となる。すなわち、視認性能向上方法は、副画像情報の視認レベルの向上だけではなく、別の真偽判別手段としても機能することになる。
【００６０】
なお、前記実施の形態では、回転移動手段として超音波モータ、平行移動手段としてピエゾ素子を用いた振動器としたが、これらに限定されるものではなく、低速、高トルク、高発生力を可能にする部材および機構であれば何でもよい。
【００６１】
また、前記実施の形態では、人間の目視確認を基本としての説明を行なったが、たとえば、前述したようにして確認される副画像情報をカメラなどで撮影し、回転、平行移動時に発生するモアレに注目することで、自動的な位置合わせが可能であり、また、時間的な差分データを確認することにより副画像情報を自動検出することは容易に推測できる。
【００６２】
以上説明したように上記実施の形態によれば、光学マスクを重ねることで隠蔽された副画像情報を目視確認する方法において、光学マスクの位置調整手段を設けることで復元効率、性能の向上、照明灯の選択および光学マスクの周期移動の同期作業による目視確認レベルの向上、さらに、意図した埋め込み方式を利用しているかの確認をすることが可能となる。  
また、光学マスクを導光路と兼用することで、構成要素が占める体積を大幅に小さくすることが可能となり、装置全体の小形化が可能となる。  
さらに、これらの効果を合わせ、特開２００１−２６８３４６号公報に記載されている副画像情報の隠蔽方式による印刷媒体の真偽を容易に判別できる極めて小形の画像検査装置を実現することが可能となる。
【図面の簡単な説明】
【００６３】
【図１】主画像情報に対する副画像情報の埋め込み、復元処理の流れを説明するための流れ図。
【図２】パターン画像情報を説明する模式図。
【図３】合成処理の流れを説明するための流れ図。
【図４】主画像情報の赤成分の例を示す図。
【図５】主画像情報の緑成分の例を示す図。
【図６】パターン画像情報の例を示す図。
【図７】色差変調結果例を示す図。
【図８】重畳処理結果の赤成分の例を示す図。
【図９】重畳処理結果の緑成分の例を示す図。
【図１０】合成画像の例を示す模式図。
【図１１】真偽判定の例を示す模式図。
【図１２】真偽判定の例を示す模式図。
【図１３】本発明の実施の形態に係る画像検査装置の構成を模式的に示す構成図。
【図１４】回転位置調整スイッチおよび平行位置調整スイッチを説明するための図。
【図１５】光学マスクおよびその位置調整機構を一部断面して模式的に示す側面図。
【図１６】光学マスクおよびその位置調整機構を一部断面して模式的に示す上面図。
【図１７】画像検査装置の動作を説明するためのフローチャート。
【符号の説明】
【００６４】
１…本体、２…光学マスク（導光路）、３Ｒ，３Ｇ，３Ｂ，３Ｃ，３Ｍ，３Ｙ…照明選択スイッチ、４…回転位置調整スイッチ、５…平行位置調整スイッチ、６…検査対象物（記録媒体）、７…マスク押付け蓋体（押付け手段）、８…読取対象物（合成画像）、２ａ，２ｂ…マスクパターン、９…拡散部、１０…超音波モータ（回転移動手段）、１１…枠体、１２…保持部、１３Ｒａ，１３Ｒｂ、１３Ｇａ，１３Ｇｂ、１３Ｂａ，１３Ｂｂ、１３Ｃａ，１３Ｃｂ、１３Ｍａ，１３Ｍｂ、１３Ｙａ，１３Ｙｂ…照明灯（照明手段）、１４Ｘ，１４Ｙ…振動器（平行移動手段）。
【図１】
2005341274.tif 000003
【図２】
2005341274.tif 000004
【図３】
2005341274.tif 000005
【図４】
2005341274.tif 000006
【図５】
2005341274.tif 000007
【図６】
2005341274.tif 000008
【図７】
2005341274.tif 000009
【図８】
2005341274.tif 000010
【図９】
2005341274.tif 000011
【図１０】
2005341274.tif 000012
【図１１】
2005341274.tif 000013
【図１２】
2005341274.tif 000014
【図１３】
2005341274.tif 000015
【図１４】
2005341274.tif 000016
【図１５】
2005341274.tif 000017
【図１６】
2005341274.tif 000018
【図１７】
2005341274.tif 000019